(57)【要約】【課題】収納物が密封包装された包装袋を収納した外装箱ごと電子レンジで加熱調理が可能で、加熱ムラがなく、加熱時に収納物が噴出しても電子レンジ内を汚損することなく、電子レンジからの取出しや、外装箱からの包装袋の取り出しにも危険性が無い包装体を提供する。【解決手段】外装箱１００と包装袋２００とで構成され、外装箱に包装袋を収納したまま包装袋の収納物を加熱調理する包装体であって、包装袋は偏平状であり、かつ、この包装袋には加熱することで、剥離して外気に連通する蒸気抜き孔２８が設けられており、外装箱の上面から左右の側面にわたって、横方向の帯状に、開口部を形成できる切り離し開口部１３が設けられており、包装袋は、寝かせた姿勢で、しかも、蒸気抜き孔が上面を向くように外装箱に収納されており、切り離し開口部は蒸気抜き孔に対向する位置を避けて配置されている。【選択図】図１
2015129000.tif 000002
【特許請求の範囲】
【請求項１】
外装箱と包装袋とで構成され、前記外装箱に前記包装袋を収納したまま包装袋の収納物を加熱調理する包装体であって、
前記包装袋は偏平状であり、かつ、前記包装袋には加熱することで発生する気体の内圧により、剥離して外気に連通する蒸気抜き孔が設けられており、
前記外装箱の上面から左右の側面にわたって、横方向の帯状に、開口部を形成できる切り離し開口部が設けられており、
前記包装袋は、偏平状に寝かせた姿勢で、しかも、前記蒸気抜き孔が上面を向くように前記外装箱に収納されており、
前記切り離し開口部は前記蒸気抜き孔に対向する位置を避けて配置されていて、前記蒸気抜き孔の上面を前記外装箱の内面が覆っていることを特徴とする包装体。
【請求項２】
前記外装箱には、加熱にともなう前記包装袋の膨らみに同調して外装箱を丸く盛り上がらせる折罫が設けられていることを特徴とする請求項１に記載の包装体。
【請求項３】
前記外装箱の底面には、加熱後の前記包装袋を取り出すときに、外側に折る折罫が設けられていることを特徴とする請求項１または２に記載の包装体。
【発明の詳細な説明】
【技術分野】
【０００１】
本発明は、包装体に関するものである。特に、電子レンジ加熱が可能なようにレトルト食品などの食品が密封充填され、蒸気抜き機構を有する包装袋と、その包装袋の外装に用い、包装袋を収納した状態で電子レンジ加熱する外装箱とからなる包装体に関するものである。
【背景技術】
【０００２】
従来、多くの食品などが合成樹脂などの積層フィルムからなる包装袋に充填され気密、液密に封入されて密封包装食品として流通している。密封包装食品が製造され、保管、流通し、食べられるまでの間に、混入している菌による腐敗などを防止するために、密封包装食品の状態で加熱殺菌あるいは加熱加圧殺菌などを施してから出荷されることもある。
【０００３】
このように密封包装食品は出荷前に加熱されることが多いが、一般消費者がこれを食するにあたっては、そのような密封包装食品であっても、再度、電子レンジなどで加熱調理することが多い。
【０００４】
前記電子レンジは、マイクロ波の照射によって食品に含まれる水分子などを振動させ、この水分子の振動によって生じる摩擦熱で食品を加熱するものである。この電子レンジによるマイクロ波加熱に伴って水蒸気が発生するが、この水蒸気によって、プラスチックフィルムで形成された通常の密封袋は、膨脹し、破裂してしまう。
【０００５】
このため、加熱時の内部蒸気圧の上昇により密封包装食品の包装袋が破裂することを避けるために、包装袋を開封して内容物を別の容器に移し替え、その容器に入れた状態で加熱することがある。
【０００６】
また、包装袋を開封した状態で、収納されていた外箱を用いて包装袋ごと、内容物が零れないように開封口を上に向けて加熱する食品包装体のマイクロ波加熱方法（特許文献１）が知られている。
【０００７】
この、食品包装体のマイクロ波加熱方法は、図７に示すように耐熱性収納袋体３０１を収納した包装箱３００に、この包装箱３００の構成部材から自立手段３１を設ける。前記包装箱３００から自立手段３１を分離させ、この自立手段３１に包装箱３００を取り付ける。そして立った包装箱３００に耐熱性収納袋体３０１を自立させて入れ、これにマイクロ波照射して加熱する。
【０００８】
また、最近、食品加工技術および包装技術の発達や電子レンジの普及などによって、加熱にあたり、わざわざ包装袋を開封しなくてもよい、電子レンジ加熱が可能な調理済み食品入り包装袋も提案され、実用化されている。
【０００９】
この電子レンジ加熱が可能な調理済み食品入り包装袋は、内部蒸気圧が所定圧力以上に上昇すると、蒸気圧により開口する蒸気逃がし部が設けられていて、開封せずに加熱できる。例えば、電子レンジのマイクロ波加熱によって袋内部に生じる水蒸気を袋外部へ排出するために、パウチ本体の一部を加熱時に開封するか、パウチ本体に逃孔が設けられている。
【００１０】
また、水蒸気調節穴を開けてこの水蒸気調節穴を粘着シールでシールし、加熱前にシールを剥がすようにするか、または加熱によってパウチ本体内の蒸気圧が高まると容易にシ
ール部が開くようにするか、弁が開くようにするかなどが行なわれている。
【００１１】
一方、前記調理済み食品入り包装袋は、保管、運搬、展示などに都合のよいように、また、流通段階での装飾、食品の説明、食仕方などを消費者に記載表示するために、紙製などの包装箱で包装されることが多い。包装箱は、調理済み食品入り包装袋が偏平形状を呈しているものが多いので、一般的には偏平状の直方体形状のものが多く見られる。
【００１２】
さらに、電子レンジ加熱が可能な調理済み食品入り包装袋が収納されている紙製などの包装箱から該包装袋を取り出すことなく電子レンジ加熱する電子レンジ加熱包装体（特許文献２）および密封包装食品の包装箱体および包装箱で包装された密封包装食品（特許文献３）も知られている。
【００１３】
前記電子レンジ加熱包装体は図８に示すように調理済み食品を密封充填した包装袋４０１の外包装に適用される外装用箱４００を備えた電子レンジ加熱包装体である。そして、加熱した際に包装袋４０１の内圧を逃がす逃圧用部が、背貼り部に形成されている。
【００１４】
また、電子レンジ加熱包装体を加熱する際に、外装用箱４００から背貼り部を露出させるため、切離線４１で形成されている切離開封部４２が設けられている。そして、電子レンジで加熱する際には、切離開封部４２を開封して逃圧用部を露出する。
【００１５】
また、密封包装食品の包装箱体および包装箱で包装された密封包装食品の包装箱体は、図９（ａ）に示すように、蒸気逃がし部が設けられている包装袋５０１に食品が密封包装され、包装箱体５００に収納されている。
【００１６】
そして、電子レンジで加熱する際に、蒸気逃がし部を露出するため、図９（ｂ）に示すように天壁５１の前壁５２寄りの部分を開口する。このように箱体ごと加熱すると電子レンジからの取り出し時に火傷の恐れが少なくなると指摘されている。
【００１７】
しかしながら、上述した包装袋の多くは全体形状が偏平状である。このため、特許文献１のように包装袋を立てた姿勢に保持して電子レンジで加熱するときには、多くの家庭で使用されている電子レンジでは、包装袋へのマイクロ波の照射効率が低下する。そして、加熱に時間がかかるという問題がある。
【００１８】
また、この包装袋を立ち姿勢に保持し得る箱体は、運搬、保管、展示などにおいては偏平状のものが殆どである。そして、包装袋を立ち姿勢に保持すべく変形させるための構造が複雑となり、且つ、手間がかかるという問題がある。
【００１９】
また、包装袋を開封して他の容器に移し替えて電子レンジで加熱する場合には、容器を準備するなど、手間がかかる。そして、電子レンジから容器などを取り出す際に、手などを火傷する恐れがある。
【００２０】
また、特許文献２または３のように包装袋の内圧による蒸気などを逃がす部分を外箱から露出させて電子レンジで加熱した際に、包装袋内の収納物が蒸気などを逃がす部分から噴出する場合がある。そして、電子レンジ器内を汚し、掃除をしなければならないという問題がある。
【００２１】
そこで、これらの問題の無い包装体として、図１０のような、内圧により剥離開口する蒸気孔６１が設けられた包装袋６０１が、蒸気孔が上向きになるように外装箱６００に収納され、外装箱の上面に開口部を形成できる切り離し開封部６２が、蒸気孔６１に対向しないように設けられていて、包装袋６０１が、切り離し開封部６２を切り離した外装箱６
００に収納されたまま、加熱調理できるようになっている包装体（特許文献４）がある。
【００２２】
この包装体でも、包装袋の上面のみ開口部が設けられていて、加熱調理後に取り出すとき上面より手を入れて取り出す必要があり、加熱された包装袋の熱い部分に触れてしまう恐れがある。
【００２３】
公知文献を以下に示す。
【先行技術文献】
【特許文献】
【００２４】
【特許文献１】特開平４−２１４１２６号公報
【特許文献２】特開２００１−０３９４７６号公報
【特許文献３】特開２００２−１９７７６号公報
【特許文献４】特許第４８８２４９３号公報
【発明の概要】
【発明が解決しようとする課題】
【００２５】
本発明は上記のような事情に鑑みてなされたもので、食品などの収納物が密封包装された包装袋を収納した外装箱ごと電子レンジで加熱調理が可能で、平坦に置いて加熱するので加熱ムラがなく、加熱時に収納物が噴出しても電子レンジ内を汚損することなく、電子レンジからの取出しに危険性が無く、更に、外装箱からの包装袋の取り出しにも危険性が無い包装体を提供することを課題とする。
【課題を解決するための手段】
【００２６】
本発明は係る課題に鑑みなされたものであり、請求項１の発明は、外装箱と包装袋とで構成され、前記外装箱に前記包装袋を収納したまま包装袋の収納物を加熱調理する包装体であって、
前記包装袋は偏平状であり、かつ、前記包装袋には加熱することで発生する気体の内圧により、剥離して外気に連通する蒸気抜き孔が設けられており、
前記外装箱の上面から左右の側面にわたって、横方向の帯状に、開口部を形成できる切り離し開口部が設けられており、
前記包装袋は、偏平状に寝かせた姿勢で、しかも、前記蒸気抜き孔が上面を向くように前記外装箱に収納されており、
前記切り離し開口部は前記蒸気抜き孔に対向する位置を避けて配置されていて、前記蒸気抜き孔の上面を前記外装箱の内面が覆っていることを特徴とする包装体である。
【００２７】
請求項２の発明は、前記外装箱には、加熱にともなう前記包装袋の膨らみに同調して外装箱を丸く盛り上がらせる折罫が設けられていることを特徴とする請求項１に記載の包装体である。
【００２８】
請求項３の発明は、前記外装箱の底面には、加熱後の前記包装袋を取り出すときに、外側に折る折罫が設けられていることを特徴とする請求項１または２に記載の包装体である。
【発明の効果】
【００２９】
本発明の包装体は、以上の構成からなるので、外装箱の切り離し開口部を切り取って開口させて、外装箱ごと電子レンジで加熱調理が可能であるので、簡単に加熱調理することができる。
【００３０】
包装袋は平坦に置かれて加熱されるので加熱ムラがなく、また、加熱により発生する水
蒸気などの気体による内圧によって膨らんでも、剥離開口する蒸気抜き孔が設けられているので、電子レンジでの加熱調理により包装袋が破袋することがない。
【００３１】
そして、切り離し開口部が蒸気抜き孔に対向する位置を避けて配置されているので、加熱時に収納物が噴出しても電子レンジ内を汚損することない。また、外装箱ごと電子レンジで加熱調理するので、電子レンジからの取出すときに、熱くなっている包装袋に触れることなく危険性がない。
【００３２】
更に、開口部を形成できる切り離し開口部が、外装箱の上面から左右の側面にわたって、横方向の帯状に設けられているので、外装箱から包装袋を取り出しときにも、熱くなっていないサイドシール部などをもって取り出すことができ危険性が無い。
【００３３】
さらにまた、外装箱には、加熱にともなう包装袋の膨らみに同調して外装箱を丸く盛り上がらせる折罫が設けられているので、加熱により包装袋が膨張しても、外装箱も容易に盛り上がり膨らむことができるので、包装袋に余計なストレスが掛かることなく、外装箱も破れることがない。そして、包装袋の加熱終了後の収縮と共に外装箱も加熱する前の形状に戻ることができる。
【００３４】
加熱後には、包装袋を取り出すための折罫が、外装箱の底面に設けられているので、容易に折罫で折って外側に倒し、包装袋を取り出すことができる。
【図面の簡単な説明】
【００３５】
【図１】本発明の包装体の一例を模式的に斜視で示した説明図である。
【図２】本発明の包装体の一例の包装箱用のブランクを模式的に平面図で示した説明図である。
【図３】本例の包装体の一例に用いる包装袋を模式的に示した説明図である。（ａ）は、平面図である。（ｂ）は、中央の縦断面図である。
【図４】図３（ｂ）の丸で囲まれたＸ部の拡大図である。
【図５】本発明の包装体の一例で切り離し開口部を切り離した状態を模式的に斜視で示した説明図である。
【図６】本発明の包装体の一例に用いる包装袋が膨らんだ状態を模式的に斜視で示した説明図である。
【図７】従来の包装体の一例で加熱調理する状態を模式的に斜視で示した説明図である。
【図８】従来の包装体の他の例を模式的に斜視で示した説明図である。
【図９】（ａ）従来の包装体の更に他の例を模式的に斜視で示した説明図である。（ｂ）従来の包装体の更に他の例で加熱調理する状態を模式的に側面で示した説明図である。
【図１０】従来の包装体のまた更に他の例を模式的に斜視で示した説明図である。
【発明を実施するための形態】
【００３６】
以下、本発明を実施するための形態につき説明する。
図１は、本発明の包装体の一例を模式的に斜視で示した説明図である。
図２は、本発明の包装体の一例の包装箱用のブランクを模式的に平面図で示した説明図である。
【００３７】
本例の包装体は、図１の斜視図に示すように、方形で扁平な外装箱１００と外装箱１００に収納された包装袋２００からなり、包装袋２００には収納物が充填されている。収納物は、調理済みあるいは半調理済みの食品が充填収納されていて、電子レンジで加熱調理して食するように提供されるものである。
【００３８】
外装箱１００を製函するブランクの基材には、板紙、マイクロフルート、Ｅフルートな
どなどの化粧段ボールシート、プラスチックシートなどが使用できる。板紙では、例えば、アイボリー紙、ポストカード、両面カード紙、マニラボール紙、白ボールである白板紙など、通常の板紙を使用することができる。
【００３９】
外装箱１００を製函するブランクは、図２のように、上面板１、右側面板２、底面板３、左側面板４が、この順で連設されている。また、図２で、上面板１の左側には左貼着面板５が設けられ、上側には後貼着面板６が、下側には前貼着面板７が設けられている。
【００４０】
底面板３の上側には後側面板８が、下側には前側面板９が設けられている。また、右側面板２と左側面板４のそれぞれの上下両端には、貼着片１０が設けられている。
【００４１】
左貼着面板５と上面板１と右側面板２にわたって、２本の易切断線１１が横方向に伸び、右側面板２と底面板３の境界線で縦方向に進んで連続している。また、左貼着面板５が重なる左側面板４にも、左貼着面板５の易切断線と対向する位置に易切断線１１が設けられ、左側面板４と底面板３の境界線で縦方向の直線状の切れ目線１２により結ばれている。
【００４２】
易切断線１１は本例では、小さな切れ目線がつなぎ部を介して、線状に並んで形成されている。そして、製函されたとき、これらによって囲まれた切り離し開口部１３となる。そして、切れ目線１２が切り離し開口部１３の切り離しを開始する開口きっかけとなっている。
【００４３】
また、上面板１には、その方形の四隅からそれぞれ中央部分に向かう斜めの上面板折罫１４が設けられている。加熱にともない包装袋２００が膨らむときに、この上面板折罫１４が折れることにより、同調して外装箱１００が丸く盛り上り膨らむことができる。
【００４４】
底面板３には底面板折罫１５が設けられている。底面板折罫１５は、右側面板２や左側面板４の易開封線１１の内、後側面板８寄りの易開封線１１が底面板３との境界に達する位置あるいはその近傍に、横方向に設けている。
【００４５】
これにより加熱後の包装袋２００を外装箱から取り出すときに、切り離し開口部１３が切り離されているので、右側面板２や左側面板４に邪魔されることなく、容易に底面板折罫１５から折ることができる。そして、底面板折罫１５で後側面板８寄りの部分を外側に倒すことにより包装袋２００が取り出しやすくなる。
【００４６】
このブランクより製函するには、底面板３より、右側面板２、左側面板４、後側面板８、前側面板９をそれぞれ垂直に立ち上げ、右側面板２と左側面板４の貼着片１０をそれぞれ、隣接する後側面板８、前側面板９の内側に貼着する。
【００４７】
次に、上面板１を底面板３に対向するように倒して、左貼着面板５、後貼着面板６、前貼着面板７を下方に倒して、それぞれ、左側面板４、後側面板８、前側面板９に貼着する。これにより、図１の外装箱１００が製函される。
【００４８】
包装袋２００は、ブランクの状態のときに、底面板３の上に置いておき製函して収納されるようにしてもよいし、また、底面板３と、右側面板２、左側面板４、後側面板８、前側面板９を組み立てたときに収納させてもよい。このとき、包装袋２００の蒸気抜き孔２８が、切り離し開口部１３に対向しないように、蒸気抜き孔２８を後側面板８寄りに収納させる。
【００４９】
包装袋２００は、表フィルム２０ａと裏フィルム２０ｂを重ね合わせて、周縁部をシー
ルして形成されている。そして、表フィルム２０ａと裏フィルム２０ｂはそれぞれ、基材フィルム層とシーラント層が積層された積層フィルムからなっている。
【００５０】
基材フィルム層としては、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６、ポリイミド等）、あるいはこれらの高分子の共重合体など、通常包装材料として用いられる比較的耐熱性を有するプラスチックフィルムが使用できる。
【００５１】
また、シーラント層は熱融着性樹脂からなり、包装袋２００のヒートシール部を形成するために設けられるものである。そして、熱融着性樹脂としては、ポリエチレン、ポリプロピレン、エチレン−酢酸ビニル共重合体、エチレン−メタクリル酸共重合体、エチレン−メタクリル酸エステル共重合体、エチレン−アクリル酸共重合体、エチレン−アクリル酸エステル共重合体及びそれらの金属架橋物等が用いられる。
【００５２】
また、収納物を充填した包装袋２００を、常温流通のために高温高圧殺菌する場合は、シーラント層の熱融着性フィルムには、直鎖状低密度ポリエチレンでもよいが、ポリプロピレンが好ましく用いられる。シーラント層の厚さは目的に応じて決められるが、一般的には、３０〜２００μｍの範囲である。
【００５３】
また、基材フィルム層とシーラント層の積層は公知の方法により積層することができるが、電子レンジ加熱を考慮すると、２液硬化型ウレタン系接着剤を用いたドライラミネーションで貼り合わせ積層することが好ましい。
【００５４】
包装袋２００の落下強度、突き刺し強度や、ガスバリア性を向上させる必要がある場合には、基材フィルム層とシーラント層との間に中間層を介在させることができる。中間層には、基材フィルム層と同様なフィルムを用いる以外にガスバリア性フィルムを用いることができる。
【００５５】
ガスバリア性フィルムとしては、樹脂自体にガスバリア性のあるエチレン−ビニルアルコール共重合体やナイロンＭＸＤ６のフィルムなどの他に、無機酸化物蒸着フィルムを用いることが出来る。
【００５６】
無機酸化物蒸着フィルムとしては、蒸着基材フィルムに蒸着アンカー剤を塗布し蒸着アンカーコート層を設け、その面に無機酸化物を蒸着させて無機酸化物蒸着層を設け、さらにバリア性保護層を塗布形成したものが好ましく用いられる。
【００５７】
蒸着基材フィルムには、ポリエステルやナイロンの延伸フィルムが、好ましく用いられる。また、蒸着アンカーコート層は、３官能オルガノシラン及びアクリルポリオール、イソシアネート化合物等の複合物を塗布して設ける。
【００５８】
無機酸化物蒸着層は、酸化アルミニウム、酸化珪素、酸化錫、酸化マグネシウム、あるいはそれらの混合物などの無機酸化物が蒸着された層であり、酸化アルミニウムや酸化珪素の蒸着された層が特に好ましい。厚さは５〜３００ｎｍが好ましい。
【００５９】
バリア性保護層は、割れたり、クラックが入ったりしやすい無機酸化物蒸着層を保護すると同時に、バリア性を向上させる層である。そして、コーティング剤を塗布、加熱乾燥してなる塗布膜であり、コーティング剤は、１種以上の金属アルコキシド、あるいは、その加水分解物の少なくともいずれかと、水溶性高分子とを含む水系溶液を主剤としている。
【００６０】
コーティング剤に用いられる金属アルコキシドは、テトラエトキシシラン〔Ｓｉ（ＯＣ２Ｈ５）４〕、トリイソプロポキシアルミニウム〔Ａｌ（Ｏ−２’−Ｃ３Ｈ７）３〕などの一般式、Ｍ（ＯＲ）ｎ  （Ｍ：Ｓｉ、Ｔｉ、Ａｉ、Ｚｒなどの金属、Ｒ：ＣＨ３、Ｃ２Ｈ５等のアルキル基）で表せるものである。なかでもテトラエトキシシラン、トリイソプロポキシアルミニウムが加水分解後、水系の溶媒中において比較的安定であるので使い勝手がよく好ましい。
【００６１】
コーティング剤に用いられる水溶性高分子はポリビニルアルコール、ポリビニルピロリドン、デンプン、メチルセルロース、カルボキシメチルセルロース、アルギン酸ナトリウムなどが挙げられる、特にポリビニルアルコールを用いた場合にガスバリア性が最も優れている。
【００６２】
ポリビニルアルコールは、ポリ酢酸ビニルを鹸化して得られるもので、酢酸基が数十％残存している、いわゆる部分けん化ポリビニルアルコールから、酢酸基が数％しか残存していない完全鹸化ポリビニルアルコールまでを含み、とくに限定されるものではない。水系溶液とする溶剤には、水、または、水とアルコールの混合溶剤を用いる。
【００６３】
図３は、本例の包装体の一例に用いる包装袋を模式的に示した説明図である。（ａ）は、平面図である。（ｂ）は、中央の縦断面図である。
図４は、図３（ｂ）の丸で囲まれたＸ部の拡大図である。
【００６４】
図３（ａ）、（ｂ）は、収納物充填前の空の包装袋２００である。天シール部２１と、サイドシール部２２が設けられ、地シール部は開放されていて、収納物の充填口になっている。
【００６５】
そして、表フィルム２０ａには、天シール部と平行に外側に突き出した折返し襞部２３が、横幅全体にわたって、天シール部２１寄りに設けられている。折返し襞部２３の上側折り返し部２３ａと下側折り返し部２３ｂには、横幅全体にわたって剥離性テープ材２４が差し込まれている。
【００６６】
剥離性テープ材２４は、両面がヒートシール性の樹脂層２４ａ、２４ｂからなっていて、一方の樹脂層２４ａは、表フィルム２０ａのシーラント層とヒートシールすると剥離しにくい、同じかあるいは同系統の樹脂からなっている。
【００６７】
他方の樹脂層２４ｂは、表フィルム２０ａのシーラント層とヒートシールしたときに剥離性を有していて、包装袋２００を電子レンジで加熱したときに、水蒸気などによる内圧の上昇によって、剥離する性質の易剥離性樹脂層からなっている。
【００６８】
易剥離性樹脂としては、包装袋２００のシーラント層がポリプロピレンの場合は、例えば、ブロックポリプロピレン系コポリマー、ランダムポリプロピレン系コポリマーなどが好適に用いられる。
【００６９】
ここで、ブロックポリプロピレン系コポリマーの代表例はポリプロピレン−ポリエチレンブロックコポリマー、ランダムポリプロピレン系コポリマーの代表例はプロピレン−エチレンランダムコポリマーである。 
【００７０】
折返し襞部２３に差し込まれた剥離性テープ材２４は、逆凹字形状の中央パターンシール部２５と、左右パターンシール部２６と、サイドシール部２２にて、表フィルム２０ａと裏フィルム２０ｂに挟まれてヒートシールされて介在している。また、剥離性テープ材
２４の下端部領域で、図３（ａ）に示すように、中央パターンシール部２５内に設けられたポイントシール部２７で、ヒートシールされていてもよい。
【００７１】
剥離性テープ材２４の上端部領域は、図４の拡大図に示すように、中央パターンシール部２５において、Ｖ字形状に折り返された上側折り返し部２３ａよりも上方に長く延設されている。そして、その延設部分で、剥離性テープ材２４の一方の樹脂層２４ａが、表フィルム２０ａのシーラント層にヒートシールされている。
【００７２】
中央パターンシール部２５と折返し襞部２３の折返し部で囲まれた領域は未シール部となっていて、この未シール部内に蒸気抜き孔２８が設けられている。蒸気抜き孔２８は、図のような切れ込みで設けられても良いし、貫通孔で設けてもよい。また、蒸気抜き孔２８は、重なり合った上側折り返し部２３ａと、剥離性テープ材２４と、下側折り返し部２３ｂに、まとめて貫通させて設けることができる。
【００７３】
以上のように蒸気抜きの機構が設けられているので、収納物を充填して地シール部をシールした包装袋２００は、電子レンジで加熱すると内圧が上昇して膨らんでいく。内圧が上昇して膨らむことにより、折返し襞部２３の左右パターンシール部２６の間に設けられた中央パターンシール部２５のシールを剥離するように力が加わる。
【００７４】
そのため、中央パターンシール部２５では、剥離性テープ材２４の易剥離性樹脂層からなる他方の樹脂層２４ｂと、表フィルム２０ａのシーラント層の間で、内側寄りからシール後退して剥離していき、中央パターンシール部２５に囲まれた未シール部が袋の収納部と連通する。そして、蒸気抜き孔２８より、加熱により発生した蒸気などの気体が、袋の外に逃げ、包装袋２００がそれ以上膨らむことがなく、加熱調理することができる。
【００７５】
上記の包装袋２００を収納して外装箱１００を製函すると、図１のような、本例の包装体が完成する。
【００７６】
図５は、本発明の包装体の一例で切り離し開口部を切り離した状態を模式的に斜視で示した説明図である。
図６は、本発明の包装体の一例に用いる包装袋が膨らんだ状態を模式的に斜視で示した説明図である。
【００７７】
本例の包装体を電子レンジで加熱調理するには、先ず、左側面板４と底面板３の境界線の設けられた切れ目線１２から、切り離し開口部１３の左側面板４を、貼着している左貼着面板５ごと持ち上げて、２本の易切断線１１を切断していき、切り離し開口部１３の切り離しを、上面板１と右側面板２にも進める。
【００７８】
右側面板２と底面板３の境界線で、２本の易切断線１１は縦方向の易切断線１１で連続しているので、切り離し開口部１３を切り離すことができる。このようにして、図５のような、切り離し開口部１３が切り離された包装体が出来上がる。
【００７９】
切り離し開口部１３が切り離された包装体を電子レンジの庫内に設置する。このとき、包装体は切り離し開口部１３を上にして置く、これにより包装袋２００も蒸気抜き孔２８が上になる。このような状態で包装体を電子レンジで加熱調理すると、収納物の温度が上がり水蒸気が発生する。また、包装袋２００内のヘッドスペースガスも膨張する。
【００８０】
これによって包装袋２００が、図６のように膨れる。包装袋２００が膨れると、中央パターンシール部２５では、剥離性テープ材２４の易剥離性樹脂層からなる他方の樹脂層２４ｂと、表フィルム２０ａのシーラント層の間で、袋の収納部寄りから剥離していき、中央パターンシール部２５に囲まれた未シール部が袋の収納部と連通する。
【００８１】
そして、蒸気抜き孔２８より、加熱により発生した蒸気などの気体が、袋の外に逃げ、包装袋２００がそれ以上膨らむことがなく、包装袋２００が破袋することなく、収納物が加熱調理される。
【００８２】
このとき、切り離し開口部は蒸気抜き孔２８に対向する位置を避けて配置されているので、加熱時に仮に収納物が噴出しても電子レンジ内を汚損することない。また、包装袋２００は平坦に置かれて加熱されるので加熱ムラがない。
【００８３】
また、外装箱１００には、加熱にともなう包装袋２００の膨らみに同調して外装箱１００を丸く盛り上がらせる折罫が設けられているので、加熱により包装袋２００が膨張しても、外装箱１００も容易に盛り上がり膨らむことができるので、包装袋２００に余計なストレスが掛かることなく、外装箱１００も破れることがない。そして、包装袋２００の加熱終了後の収縮と共に外装箱１００も加熱する前の形状に戻ることができる。
【００８４】
そして、外装箱１００ごと電子レンジで加熱調理するので、電子レンジから取り出すときに、熱くなっている包装袋２００に触れることなく危険性がない。更に、切り離し開口部１３が、外装箱の上面から左右の側面にわたって横方向の帯状に設けられ、開口されるので、外装箱１００から包装袋２００を取り出しときにも、熱くなっていないサイドシール部２２などをもって取り出すことができ危険性が無い。
【符号の説明】
【００８５】
１００・・・外装箱
１・・・上面板
２・・・右側面板
３・・・底面板
４・・・左側面板
５・・・左貼着面板
６・・・後貼着面板
７・・・前貼着面板
８・・・後側面板
９・・・前側面板
１０・・・貼着片
１１・・・易切断線
１２・・・切れ目線
１３・・・切り離し開口部
１４・・・上面板折罫
１５・・・底面板折罫
２００・・・包装袋
２０ａ・・・表フィルム
２０ｂ・・・裏フィルム
２１・・・天シール部
２２・・・サイドシール部
２３・・・折返し襞部
２３ａ・・・上側折り返し部
２３ｂ・・・下側折り返し部
２４・・・剥離性テープ材
２４ａ、２４ｂ・・・樹脂層
２５・・・中央パターンシール部
２６・・・左右パターンシール部
２７・・・ポイントシール部
２８・・・蒸気抜き孔
【図１】
2015129000.tif 000003
【図２】
2015129000.tif 000004
【図３】
2015129000.tif 000005
【図４】
2015129000.tif 000006
【図５】
2015129000.tif 000007
【図６】
2015129000.tif 000008
【図７】
2015129000.tif 000009
【図８】
2015129000.tif 000010
【図９】
2015129000.tif 000011
【図１０】
2015129000.tif 000012